【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
表面に画像データに応じた静電潜像を担持する像担持体と、
前記像担持体の表面を帯電させる帯電手段と、
帯電した前記像担持体の表面を画像データに応じた光で走査して静電潜像を形成する露光手段と、
前記像担持体の表面に形成された静電潜像を現像剤により現像する現像手段と、
前記像担持体の表面に形成された現像剤像を記録材に転写して当該記録材に画像を形成する転写手段と、
を有する画像形成装置であって、
前記露光手段によって前記像担持体が走査される際の走査線の傾き又は歪みを補正するように、前記露光手段に入力する画像データを、１画素単位のオフセット量で副走査方向にオフセットさせることにより補正する画像補正手段と、
前記画像補正手段によって補正された画像データに含まれる白画像領域に対して、画像形成条件に応じた１画素未満の大きさのドットを形成するように前記露光手段を制御することにより、前記記録材に形成される画像の平滑化処理を行なう平滑化処理手段と、
を有することを特徴とする画像形成装置。
【請求項２】
前記画像補正手段は、前記主走査方向における１つ以上の画素から成る画像データ群ごとに異なる、１画素単位のオフセット量で、画像データを副走査方向にオフセットさせる処理を行ない、
前記平滑化処理手段は、オフセットされた前記画像データ群ごとに、副走査方向に隣接する白画像領域に対して、前記画像形成条件に応じた１画素未満の大きさのドットを前記主走査方向に沿って順次、大きさを変えながら形成するように前記露光手段を制御することにより、前記平滑化処理を行なうことを特徴とする請求項１に記載の画像形成装置。
【請求項３】
前記平滑化処理手段による前記平滑化処理の際に前記露光手段の露光量を制御するための露光量パターンを格納した格納手段を更に有し、
前記平滑化処理手段は、オフセットされた前記画像データ群ごとに、副走査方向に隣接する前記白画像領域に対して、前記画像形成条件に応じた１画素未満の大きさのドットを前記主走査方向に沿って順次、大きさを変えながら形成するために、前記格納手段から読出した露光量パターンに従って前記露光手段を制御することを特徴とする請求項２に記載の画像形成装置。
【請求項４】
前記格納手段は、複数の前記露光量パターンを格納し、
前記平滑化処理手段は、前記複数の露光量パターンから、前記画像形成条件に応じて露光量パターンを選択し、選択した露光量パターンに従って前記露光手段を制御することを特徴とする請求項３に記載の画像形成装置。
【請求項５】
前記画像形成条件は、前記現像手段の周囲の温度及び湿度の少なくとも何れか一方であることを特徴とする請求項４に記載の画像形成装置。
【請求項６】
前記画像形成条件は、前記記録材への転写枚数であることを特徴とする請求項４に記載の画像形成装置。
【請求項７】
表面に画像データに応じた静電潜像を担持する像担持体と、
前記像担持体の表面を帯電させる帯電手段と、
帯電した前記像担持体の表面を画像データに応じた光で走査して静電潜像を形成する露光手段と、
前記像担持体の表面に形成された静電潜像を現像剤により現像する現像手段と、
前記像担持体の表面に形成された現像剤像を記録材に転写して当該記録材に画像を形成する転写手段と、
を有する画像形成装置の制御方法であって、
前記露光手段によって前記像担持体が走査される際の走査線の傾き又は歪みを補正するように、前記露光手段に入力する画像データを、１画素単位のオフセット量で副走査方向にオフセットさせることにより補正する画像補正工程と、
前記画像補正工程において補正された画像データに含まれる白画像領域に対して、画像形成条件に応じた１画素未満の大きさのドットを形成するように前記露光手段を制御することにより、前記記録材に形成される画像の平滑化処理を行なう平滑化処理工程と、
を有することを特徴とする画像形成装置の制御方法。
【請求項８】
表面に画像データに応じた静電潜像を担持する像担持体と、
前記像担持体の表面を帯電させる帯電手段と、
帯電した前記像担持体の表面を画像データに応じた光で走査して静電潜像を形成する露光手段と、
前記像担持体の表面に形成された静電潜像を現像剤により現像する現像手段と、
前記像担持体の表面に形成された現像剤像を記録材に転写して当該記録材に画像を形成する転写手段と、
を有する画像形成装置の制御プログラムであって、
前記露光手段によって前記像担持体が走査される際の走査線の傾き又は歪みを補正するように、前記露光手段に入力する画像データを、１画素単位のオフセット量で副走査方向にオフセットさせることにより補正する画像補正工程と、
前記画像補正工程において補正された画像データに含まれる白画像領域に対して、画像形成条件に応じた１画素未満の大きさのドットを形成するように前記露光手段を制御することにより、前記記録材に形成される画像の平滑化処理を行なう平滑化処理工程と、
を画像形成装置のプロセッサに実行させることを特徴とする画像形成装置の制御プログラム。
【手続補正２】
【補正対象書類名】明細書
【補正対象項目名】０００８
【補正方法】変更
【補正の内容】
【０００８】
上記目的を達成するため、本発明に係る装置は、
表面に画像データに応じた静電潜像を担持する像担持体と、
前記像担持体の表面を帯電させる帯電手段と、
帯電した前記像担持体の表面を画像データに応じた光で走査して静電潜像を形成する露光手段と、
前記像担持体の表面に形成された静電潜像を現像剤により現像する現像手段と、
前記像担持体の表面に形成された現像剤像を記録材に転写して当該記録材に画像を形成する転写手段と、
を有する画像形成装置であって、
前記露光手段によって前記像担持体が走査される際の走査線の傾き又は歪みを補正するように、前記露光手段に入力する画像データを、１画素単位のオフセット量で副走査方向にオフセットさせることにより補正する画像補正手段と、
前記画像補正手段によって補正された画像データに含まれる白画像領域に対して、画像形成条件に応じた１画素未満の大きさのドットを形成するように前記露光手段を制御することにより、前記記録材に形成される画像の平滑化処理を行なう平滑化処理手段と、
を有することを特徴とする。
【手続補正３】
【補正対象書類名】明細書
【補正対象項目名】０００９
【補正方法】変更
【補正の内容】
【０００９】
上記目的を達成するため、本発明に係る方法は、
表面に画像データに応じた静電潜像を担持する像担持体と、
前記像担持体の表面を帯電させる帯電手段と、
帯電した前記像担持体の表面を画像データに応じた光で走査して静電潜像を形成する露光手段と、
前記像担持体の表面に形成された静電潜像を現像剤により現像する現像手段と、
前記像担持体の表面に形成された現像剤像を記録材に転写して当該記録材に画像を形成する転写手段と、
を有する画像形成装置の制御方法であって、
前記露光手段によって前記像担持体が走査される際の走査線の傾き又は歪みを補正するように、前記露光手段に入力する画像データを、１画素単位のオフセット量で副走査方向にオフセットさせることにより補正する画像補正工程と、
前記画像補正工程において補正された画像データに含まれる白画像領域に対して、画像形成条件に応じた１画素未満の大きさのドットを形成するように前記露光手段を制御することにより、前記記録材に形成される画像の平滑化処理を行なう平滑化処理工程と、
を有することを特徴とする。
【手続補正４】
【補正対象書類名】明細書
【補正対象項目名】００１０
【補正方法】変更
【補正の内容】
【００１０】
上記目的を達成するため、本発明に係るプログラムは、
表面に画像データに応じた静電潜像を担持する像担持体と、
前記像担持体の表面を帯電させる帯電手段と、
帯電した前記像担持体の表面を画像データに応じた光で走査して静電潜像を形成する露光手段と、
前記像担持体の表面に形成された静電潜像を現像剤により現像する現像手段と、
前記像担持体の表面に形成された現像剤像を記録材に転写して当該記録材に画像を形成する転写手段と、
を有する画像形成装置の制御プログラムであって、
前記露光手段によって前記像担持体が走査される際の走査線の傾き又は歪みを補正するように、前記露光手段に入力する画像データを、１画素単位のオフセット量で副走査方向にオフセットさせることにより補正する画像補正工程と、
前記画像補正工程において補正された画像データに含まれる白画像領域に対して、画像形成条件に応じた１画素未満の大きさのドットを形成するように前記露光手段を制御することにより、前記記録材に形成される画像の平滑化処理を行なう平滑化処理工程と、
を画像形成装置のプロセッサに実行させることを特徴とする。
【手続補正５】
【補正対象書類名】明細書
【補正対象項目名】０００７
【補正方法】変更
【補正の内容】
【０００７】
本発明は上記従来技術の課題を解決するためになされたもので、光学系の走査線の傾きや歪みなどに対して、高価な光学部品による補正や組み立て時の精密な微調整などを行うことなく、高品質な画像形成を実現することを目的とする。
【手続補正６】
【補正対象書類名】明細書
【補正対象項目名】００１６
【補正方法】変更
【補正の内容】
【００１６】
図２に示す複写機２００はタンデム式の画像形成装置であり、図１に示す複写機１００と異なり、各色に対応するプロセスカートリッジ２０Ｙ、２０Ｍ、２０Ｃ、２０Ｋを並べた構成となっている。複数のプロセスカートリッジを有している点以外は図１に示す複写機１００と同じ構成であるため、同じ構成要素については同じ符号を付してその説明を省略する。
【手続補正７】
【補正対象書類名】明細書
【補正対象項目名】００２１
【補正方法】変更
【補正の内容】
【００２１】
図３は、リーダ部１１に含まれる画像処理部の内部構成について説明する図である。ＣＣＤ３０１により読み込まれた原稿画像の輝度信号は、Ａ／Ｄ変換部３０２に入力されデジタル信号に変換される。このデジタル輝度信号はシェーディング部３０３に送られ、ＣＣＤ個々の素子の感度に関するバラツキによる光量ムラがシェーディング補正される。シェーディング補正することにより、ＣＣＤの測定再現性が向上する。シェーディング部３０３で補正された輝度信号は、更にＬＯＧ変換部３０４によりＬＯＧ変換される。続いて、ＬＯＧ変換された信号は、γＬＵＴ３０５に送られ、プリンタ装置が理想とする濃度特性と、γ特性にしたがって処理された出力画像濃度特性とが一致するように作成されたγ−ＬＵＴ３０５によって変換される。こうして変換された画像信号は、プリンタ部１２の画像メモリ３１０に送信され、格納される。
【手続補正８】
【補正対象書類名】明細書
【補正対象項目名】００２２
【補正方法】変更
【補正の内容】
【００２２】
図４、図５を用いて、本実施形態に係る露光装置４０について説明する。露光装置４０は、レーザ駆動部４５、回転多面鏡モータ４１、回転多面鏡４２、光学系ｆ−θレンズ４３、及び反射ミラー４４を含む。レーザ駆動部４５から発射されたレーザＬは、回転多面鏡モータ４１上に設置された回転多面鏡４２の反射面で反射され、露光面で線速度一定になるような光学系ｆ−θレンズ４３を通り、更に反射ミラー４４で反射され、感光ドラム４に到達する。この時、反射されたレーザＬの軌跡は、図４のような理想的な直線を描くことが望ましい。
【手続補正９】
【補正対象書類名】明細書
【補正対象項目名】００３０
【補正方法】変更
【補正の内容】
【００３０】
ステップＳ６４でｎ個の走査線のプロファイルデータに基づき、各点と理想座標からのずれ量から第１補正データを算出する。
【手続補正１０】
【補正対象書類名】明細書
【補正対象項目名】００３３
【補正方法】変更
【補正の内容】
【００３３】
上記ステップＳ８３〜ステップＳ８６までを主走査全域に渡って行うことにより、走査線の傾きや歪みを補正するための副走査方向１画素単位のオフセットを行う位置（オフセットポイント）の座標（Ｘ個）が得られる（図８Ｃ）。こうして得られたＸ個のオフセットポイントの座標情報と、それぞれのオフセットポイントにおける基準ラインからのオフセット量の情報とが第１補正データとして、プロファイル記憶部４７に格納される。
（４）画像形成時における第１補正データを用いた画像データの加工
ステップＳ６５で画像補正部４８が第１補正データにしたがって、入力された画像データの加工を行う（第１の補正）。